(57)【特許請求の範囲】
【請求項１】
施肥ホッパ内の肥料を送風機からの搬送空気でもって肥料排出部まで搬送して施肥を行う施肥ホースを備えた田植機の施肥装置において、前記肥料排出部の余剰空気を上方位置で排出する空気排出ホースを肥料排出部に連通接続させ、空気排出ホースの上端排出口を上方位置で下向きに臨ませたことを特徴とする田植機の施肥装置。
【発明の詳細な説明】
【０００１】
【発明の属する技術分野】
本発明は例えば苗載台及び植付爪を備えて連続的に苗植作業を行う田植機の施肥装置に関する。
【０００２】
【発明が解決しようとする課題】
従来、施肥ホッパ内の肥料を送風機からの搬送空気でもって肥料排出部まで搬送して施肥を行う施肥ホースを備えた手段にあっては、肥料詰まり時に空気を逃す空気逃しを、施肥ホースや肥料排出部に分岐形成していて、通常時は空気逃し出口に設ける蓋を閉保持して該出口より空気が排出されるのを防止している。しかし乍ら肥料詰まりなどによって空気逃しより空気が排出される場合、施肥時の肥料が空気と一緒に排出されて、植付部の各種装置をこの肥料でもって汚すなどして錆を発生させたり、作動不良とさせるなどの問題があった。
【０００３】
【課題を解決するための手段】
然るに、本発明は、施肥ホッパ内の肥料を送風機からの搬送空気でもって肥料排出部まで搬送して施肥を行う施肥ホースを備えた田植機の施肥装置において、前記肥料排出部の余剰空気を上方位置で排出する空気排出ホースを肥料排出部に連通接続させ、空気排出ホースの上端排出口を上方位置で下向きに臨ませたもので、排出ホースに水が侵入し肥料が付着して、肥料詰まりを発生させるなどの不都合を確実に防止するものである。
【０００６】
【発明の実施の形態】
以下、本発明の実施例を図面に基づいて詳述する。図１は乗用田植機の側面図、図２は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００７】
また、図中（１５）は８条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００８】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は８条用の側条施肥部である。
【０００９】
さらに、図３、図４に示す如く、肥料を入れる中央の固定側施肥ホッパ（３７）及び左右の収納側施肥ホッパ（３７１）（３７２）と、肥料を定量供給する肥料繰出ケース（３８）と、フロート（３４）（３５）の肥料排出部である側条作溝器（３９）にフレキシブル形搬送ホース（４０）を介して肥料を排出させるターボブロワー型送風機（４１）と、円筒形のエアタンク（４２）とを、前記施肥部（３６）に備えると共に、エアタンク（４２）右側端に送風機（４１）を取付け、８条分の８組の肥料繰出ケース（３８）…をエアタンク（４２）上側に配設させている。
【００１０】
さらに、図５乃至図１１に示す如く、前記車体フレーム（３）後端の左右支柱（４３）上端間に横架する水平フレーム（４４）両側に左右ベースフレーム（４５）（４５）を取付け、前後方向に略水平に横架させる前記ベースフレーム（４５）を介して施肥部（３６）を設けると共に、左右ベースフレーム（４５）（４５）にブラケット（４６）（４６）を介してエアタンク（４２）をボルト止め固定させるもので、ベースフレーム（４５）後端部と車体フレーム（３）間にサイドステー（４７）を連結させ、ベースフレーム（４５）前後側に前後昇降レール（４８）（４９）…を立設させ、前後一組左右二対の４本の該昇降レール（４８）（４８）（４９）（４９）を介して施肥部（３６）を昇降自在に取付けると共に、左右一対の２本のガススプリング（５０）（５０）によって昇降自在に施肥部（３６）を取付け、車体フレーム（３）後端部に配置させるリヤアクスルケース（７）に施肥部（３６）重量を支持させるもので、図８にも示す如く、前後昇降レール（４８）（４９）に対向させる軸受板（５１）を設け、前記レール（４８）（４９）に転動自在に嵌込むベアリングローラ（５２）…を軸受板（５１）に回転自在に軸支させ、前後２本のレール（４８）（４９）を左右対称に２組設け、１本のレール（４８）（４９）に対して上下２個のローラ（５２）（５２）を取付け、左右一対の軸受板（５１）（５１）を４本のレール（４８）（４９）と８個のローラ（５２）…によってベースフレーム（４５）に昇降自在に支持させている。
【００１１】
また、前記ガススプリング（５０）の下端を前記車体フレーム（３）に連結させ、前記軸受板（５１）にガススプリング（５０）上端を連結させ、前記レール（４８）（４９）とガススプリング（５０）を略平行に立設させると共に、施肥部（３６）の前後幅方向の重心位置にガススプリング（５０）を連結させるもので、施肥部（３６）の重量と略等しいかまたは若干小さい伸張力をガススプリング（５０）が有するように構成している。
【００１２】
さらに、左右の軸受板（５１）（５１）を丸パイプ形の前フレーム（５３）によって一体固定させ、施肥部（３６）を持上げるときに作業者が握る取手（５４）を前記前フレーム（５３）に溶接固定させ、左右の前記軸受板（５１）（５１）に支軸（５５）（５５）を介して左右ロックレバー（５６）（５６）を回転自在に軸支させ、前側の左右昇降レール（４８）（４８）に左右ロックレバー（５６）（５６）を介して左右軸受板（５１）（５１）前部を係止させると共に、後側の左右昇降レール（４９）（４９）に左右ロックピン（５７）（５７）を取付け、軸受板（５１）にロックピン（５７）を係脱自在に係入させ、後側の左右昇降レール（４９）（４９）に左右軸受板（５１）（５１）後部を左右ロックピン（５７）（５７）を介して係止させ、軸受板（５１）の前部と後部を前後の昇降レール（４８）（４９）にロックレバー（５６）とロックピン（５７）により固定させる。また、前記昇降レール（４８）に上下係合孔（５８）（５９）を形成させ、各係合孔（５８）（５９）にロックレバー（５６）を係入させて施肥機（３６）を上昇位置または下降位置で固定支持させるもので、ロックレバー（５６）を前記取手（５４）の下側に延出させ、運転席（１３）側に突設させる取手（５４）を作業者が握り乍らロックレバー（５６）を操作し、ロックレバー（５６）を係合孔（５８）（５９）から離脱させることができるように構成している。
【００１３】
また、前記前フレーム（５３）にケース前ブラケット（６０）を溶接固定させ、該ケース前ブラケット（６０）に前記繰出ケース（３８）前側をボルト止め固定させるもので、１ユニットとして構成する中央２条分の繰出ケース（３８）（３８）を左右の昇降レール（４８）（４９）間に配設させ、昇降レール（４８）（４９）の機外側に左右各２条分の繰出ケース（３８）（３８）を夫々配設させ、２条１組として６条分３ユニットの繰出ケース（３８）…を左右に並設させ、さらに左右機外側に左右の収納側繰出ケース（３８１）（３８２）を並設させている。
【００１４】
さらに、図１２に示す如く、前記繰出ケース（３８）（３８１）（３８２）の上面前側の取入口（６１）に前記ホッパ（３７）（３７１）（３７２）の下部出口（６２）を嵌着させると共に、前記繰出ケース（３８）（３８１）（３８２）前面下側に取出口（６３）を形成し、着脱自在なキャップ（６４）によって取出口（６３）を閉塞している。前記キャップ（６４）を取外して取出口（６３）を開放し、ホッパ（３７）内部の肥料を前側下方に流下させるもので、このときに施肥部（３６）を昇降レール（４８）（４９）の上昇位置に支持させ、取出口（６３）と下方のエアタンク（４２）の間隔を拡大させ、肥料を入れる容器を前記取出口（６３）下方に容易に差し入れることができ、残留肥料の取出しを容易に行えるように構成している。
【００１５】
また、前記繰出ケース（３８）下面に閉塞レバーを介して底蓋（６６）を着脱自在に固定させると共に、硬質合成樹脂製の前記底蓋（６６）下面に出口（６７）を形成するもので、エアタンク（４２）に前端部を嵌着させる軟質合成樹脂製の接合パイプ（６８）を備え、該パイプ（６８）後端に硬質合成樹脂製のホースジョイント（６９）前端を着脱自在に嵌着させると共に、前記ジョイント（６９）後端に前記搬送ホース（４０）を嵌着させ、前記送風機（４１）の送風をエアタンク（４２）から各パイプ（６８）…及びホース（４０）に吹出させ、底蓋（６６）の出口（６７）からジョイント（６９）中間に落下する肥料を搬送ホース（４０）に移動させるもので、Ｔ字形フランジを形成する前記ジョイント（６９）中間に入口（７０）を上向き開放に形成し、底蓋（６６）の出口（６７）に嵌合キャップ（７１）を固定させ、該キャップ（７１）を前記入口（７０）の外壁に着脱自在に嵌着させ、出口（６７）を入口（７０）に接続させると共に、前記エアタンク（４２）に取付板（７２）を一体固定させ、取付板（７２）に前記ジョイント（６９）をボルト止め固定させている。
【００１６】
また、取入口（７３）及び吹出口（７４）を有する入口板（７５）と、同一円周上に略四角形の複数の繰出口（７６）…を有する繰出ロールである繰出板（７７）と、排出口（７８）を有する出口板（７９）を備え、略円形平板製の前記各板（７５）（７７）（７９）を繰出ケース（３８）と底蓋（６６）の間に多層状に配設させると共に、繰出ケース（３８）に繰出軸（８０）を略垂直に回転自在に軸支させ、各板（７５）（７７）（７９）の中央部に繰出軸（８０）下端側を貫通させ、出口板（７９）下面に下方側からバネ（８１）を弾圧させ、各板（７５）（７７）（７９）を下方に抜出し自在に繰出軸（８０）に支持させ、かつ閉塞レバーによって各板（７５）（７７）（７９）を繰出ケース（３８）と底蓋（６６）間に弾圧させるもので、入口板（７５）と出口板（７９）を繰出ケース（３８）に係止させ、各板（７５）（７９）に対して繰出軸（８０）を遊転させると共に、繰出板（７７）を繰出軸（８０）に係合軸支させ、繰出軸（８０）によって繰出板（７７）を強制的に回転させ、取入口（７３）から繰出口（７６）に入った肥料を排出口（７８）に移動させて出口（６７）方向に落下させるように構成している。
【００１７】
さらに、図６、図９、図１１にも示す如く、前記エンジン（２）出力を植付部（１５）に伝達させるＰＴＯ軸（８６）をミッションケース（４）から後方に延出させると共に、前記左支柱（４３）に軸受ケース（８７）を溶接固定させ、軸受ケース（８７）の入力軸（８８）を前記ＰＴＯ軸（８６）中間にチェン（８９）を介して連動連結させ、軸受ケース（８７）の出力軸（９０）後端部にクランク板（９１）をボールロック構造により着脱自在に固定させる。また、前記軸受板（５１）及びケース後ブラケット（９２）を一体固定させる四角パイプ形後面フレーム（９３）を備え、エアタンク（４２）及び前フレーム（５３）と略平行に後面フレーム（９３）を横架させ、ケース後ブラケット（９２）に前記繰出ケース（３８）後側をボルト止め固定させる。
【００１８】
また、前記左の軸受板（５１）にブラケット（９４）及び軸（９５）を介して単一の調量部材である繰出量調節レバー（９６）を軸支させると共に、左の軸受板（５１）に支軸（９７）を介して調節リンク（９８）及び支点リンク（９９）を設け、前記レバー（９６）のネジ部（１００）に調節リンク（９８）を連結させ、支点リンク（９９）に調節支点（１０１）を取付け、該支点（１０１）に駆動アーム（１０２）を軸支させる。
【００１９】
また、前記後面フレーム（９３）に軸受板（１０３）を介して施肥動力伝達系繰出駆動軸（１０４）を回転自在に軸支させ、該駆動軸（１０４）に揺動アーム（１０５）を固定させ、前記駆動アーム（１０２）に長さ調節自在な伸縮ロッド（１０６）一端側を連結させ、かつ前記揺動アーム（１０５）に前記伸縮ロッド（１０６）の他端側を連結させると共に、前記クランク板（９１）を駆動アーム（１０２）に入力ロッド（１０７）を介して連結させ、植付駆動用のＰＴＯ軸（８６）から入力ロッド（１０７）及び駆動アーム（１０２）を介して繰出駆動軸（１０４）に駆動力を伝えるように構成している。
【００２０】
さらに、図８に示す如く、前記後面フレーム（９３）に連れ回り防止一方向クラッチ（１０８）を介してクラッチ軸（１０９）を軸支させ、該クラッチ軸（１０９）に一方向クラッチ（１１０）を介して入力リンク（１１１）を設けると共に、前記繰出駆動軸（１０４）に揺動リンク（１１２）を固定させ、該リンク（１１２）を前記入力リンク（１１１）に連係ロッド（１１３）を介して連結させ、入力リンク（１１１）を揺動させてクラッチ軸（１０９）を一方向に間欠的に回転させるように構成している。
【００２１】
また、前記繰出ケース（３８）に条止めクラッチケース（１１４）を固定させると共に、前記繰出軸（８０）上端側にベベルギヤ（１１６）を介してクラッチ軸（１０９）を常時連結させるもので、繰出軸（８０）を前記クラッチ軸（１０９）に継断自在に連結させる条止めクラッチ（図示省略）を前記クラッチケース（１１４）に内設させると共に、前記ケース（１１４）の条止めクラッチを継断操作するクラッチレバー（１１８）とクラッチアーム（１１９）を前記クラッチケース（１１４）の前後に振分け配設させ、前記植付部（１５）の苗載台（１６）上側背面部に設ける植付け条止め用ユニットクラッチレバー（１２０）に条止め用のクラッチワイヤを介して前記クラッチアーム（１１９）を連結させる。
【００２２】
さらに、図８、図１３、図１４に示す如く、中央２条分の肥料繰出ケース（３８）（３８）取付位置外側で前フレーム（５３）と後面フレーム（９３）に左右の軸受板（５１）（５１）を溶接固定させると共に、前フレーム（５３）と後面フレーム（９３）の左右両端部を左右のサイドフレーム（１２３）（１２３）によって一体固定させ、両側２条分の肥料繰出ケース（３８）（３８）を軸受板（５１）とサイドフレーム（１２３）間の前フレーム（５３）及び後面フレーム（９３）に取付けるもので、四角枠形の各フレーム（５３）（９３）（１２３）を軸受板（５１）によって左右方向に三等分に区切り、前後のフレーム（５３）（９３）間に６条分の肥料繰出ケース（３８）を掛け渡し支持させる。
【００２３】
さらに、図１３乃至図２１に示す如く、前記ステップ（１１）を取付けるステップフレームを介して受面である補助ステップ（１２４）を設け、車体カバー（１２）後部両側に左右補助ステップ（１２４）（１２４）を配設させると共に、中央の固定側エアタンク（４２）両側に左右略同一形状の収納側エアタンク（４２１）（４２２）を連設させ、固定側エアタンク（４２）端部に固定ブラケット（１２５）を一体固定させ、収納側エアタンク（４２１）（４２２）に可動ブラケット（１２６）を一体固定させ、固定ブラケット（１２５）の長孔（１２７）に回動及び摺動自在に挿通させる支点部材である水平回動支点軸（１２８）を可動ブラケット（１２６）に回転自在に取付け、前記支点軸（１２８）回りに収納側エアタンク（４２１）（４２２）を水平回転させかつ長孔（１２７）の案内によって収納側エアタンク（４２１）（４２２）を水平移動させ、補助ステップ（１２４）上面に収納側エアタンク（４２１）（４２２）を折畳み自在に構成している。また、右の収納側エアタンク（４２２）端部に前記送風機（４１）を取付け、送風機（４１）から各タンク（４２２）（４２）（４２１）内に空気を圧送し、該空気によって肥料を搬出する施肥作業を行うように構成している。
【００２４】
さらに、前記サイドフレーム（１２３）にロックピン（１２９）（１２９）及びパッチン錠（１３０）（１３０）を介して左右フレーム（１３１）（１３１）を着脱自在に連結させ、前フレーム（５３）及び後面フレーム（９３）と略同形の分割フレーム（１３２）（１３３）を左右フレーム（１３１）（１３１）と外側フレーム（１３４）（１３４）の間に一体固定させ、分割フレーム（１３２）（１３３）に左右繰出ケース（３８１）（３８２）を固定させると共に、固定側クラッチ軸（１０９）端部の係合部材であるクラッチ板（１３６）に左右繰出ケース（３８１）（３８２）の繰出軸（１３５）（１３５）の係合部材である爪体（１３７）をバネ（１３８）を介して着脱自在に連結させ、クラッチ軸（１０９）からクラッチ板（１３６）及び爪体（１３７）を介して左右繰出ケース（３８１）（３８２）に繰出し駆動力を伝えるように構成している。
【００２５】
さらに、前記収納側エアタンク（４２１）（４２２）に係合筒（１３９）（１３９）を一体固定させ、左右フレーム（１３１）（１３１）及び外側フレーム（１３４）（１３４）に固定ピン（１４０）（１４０）を一体固定させ、該固定ピン（１４０）（１４０）を前記係合筒（１３９）（１３９）に出入自在に上方側から遊嵌挿入させ、固定ピン（１４０）（１４０）を係合筒（１３９）（１３９）に差込むと共に、補助ステップ（１２４）上面に当接させる脚フレーム（１４１）を収納側エアタンク（４２１）（４２２）に一体固定させ、左右フレーム（１３１）（１３１）に固定用ステー（１４２）上端側を一体固定させ、前記ステー（１４２）下端側を脚フレーム（１４１）上面に当接させ、上下に重ねた前記ステー（１４２）及び脚フレーム（１４１）をノブボルト（１４３）によって補助ステップ（１２４）上面に着脱自在に固定させると共に、前記ノブボルト（１４３）を取外して左右フレーム（１３１）（１３１）及び外側フレーム（１３２）（１３２）を上方に持上げ、係合筒（１３９）からピン（１４０）を抜出し、収納側ホッパ（３７１）（３７２）及び繰出ケース（３８１）（３８２）を収納側エアタンク（４２１）（４２２）に対して分離させるように構成している。
【００２６】
また、前記固定ブラケット（１２５）に収納固定板（１４４）を一体形成し、前記脚フレーム（１４１）及び固定用ステー（１４２）をネジ部材であるノブボルト（１４３）によって補助ステップ（１２４）に固定させたとき、前記収納固定板（１４４）に可動ブラケット（１２６）をノブボルト（１４５）によって固定させ、補助ステップ（１２４）上面に２本のノブボルト（１４３）（１４５）によって収納側エアタンク（４２１）（４２２）を固定させ、収納側施肥ホッパ（３７１）（３７２）及び繰出ケース（３８１）（３８２）を収納側エアタンク（４２１）（４２２）に支持させるように構成している。
【００２７】
このように、前記施肥部（３６）を中央の固定側ホッパ（３７）及び繰出ケース（３８）及びエアタンク（４２）と、左右最外側の収納側ホッパ（３７１）（３７２）及び繰出ケース（３８１）（３８２）及びエアタンク（４２１）（４２２）によって形成し、これら収納側ホッパ（３７１）（３７２）及び繰出ケース（３８１）（３８２）及びエアタンク（４２１）（４２２）を収納自在に設けて、収納時には走行車機体である補助ステップ（１２４）に固定させるもので、収納位置の収納側ホッパ（３７１）（３７２）及び繰出ケース（３８１）（３８２）及びエアタンク（４２１）（４２２）を支持させる部材を施肥部（３６）側から突設させる必要がなく、また収納位置の収納側ホッパ（３７１）（３７２）及び繰出ケース（３８１）（３８２）及びエアタンク（４２１）（４２２）の支持強度を容易に確保するように構成している。
【００２８】
さらに、前記固定側エアタンク（４２）両端にフランジ（１４６）（１４６）を一体固定させ、前記収納側エアタンク（４２１）（４２２）にフランジ（１４７）（１４７）を一体固定させ、ノブボルト（１４３）によって対向する各フランジ（１４６）（１４７）を締付け固定し、各フランジ（１４６）（１４７）を直接当接させ、固定側エアタンク（４２）両端に収納側エアタンク（４２１）（４２２）を固定させると共に、収納側エアタンク（４２１）（４２２）の弾性ゴム製の空気もれ防止パッキン（１４８）に輪形突条（１４９）を形成し、固定側エアタンク（４２）の弾性ゴム製の空気もれ防止パッキン（１５０）に前記突条（１４９）を圧着させ、前記突条（１４９）の圧着変形によって前記各パッキン（１４８）（１５０）を密着させるもので、前記各フランジ（１４６）（１４７）を直接当接させて固定することにより、収納側エアタンク（４２１）（４２２）側の重量によって収納側エアタンク（４２１）（４２２）が固定側エアタンク（４２）との接合部分で下方に折曲がるのを防止し、各パッキン（１４８）（１５０）接合部の下方側が必要以上に圧縮されたり上方側が離反する不具合をなくすように構成している。
【００２９】
さらに、図２３及び図２４に示す如く、植付爪（１７）及び肥料繰出ケース（４７）を２条１ユニットとして各ユニット毎にオンオフ操作するユニットクラッチレバー（１２０）…を苗載台（１６）の裏面上方に配設させ、多条植え用の植付爪（１７）の一部を停止させて苗の植付条数を減少させるユニットクラッチレバー（１２０）操作により、多条施肥用の肥料繰出ケース（３８）の一部も同時に停止させると共に、苗縦送部材（図示省略）をオンオフさせる縦送クラッチワイヤ（１５１）、並びに植付爪（１７）をオンオフさせる植付爪クラッチワイヤ（１５２）をユニットクラッチレバー（１２０）の下方向に取付けると共に、肥料繰出ケース（４８）をオンオフさせる施肥クラッチワイヤ（１５３）をユニットクラッチレバー（１２０）の横方向に取付け、１ユニット２条分のクラッチアーム（１１９）にワイヤ止め（１５４）を介して着脱自在にクラッチワイヤ（１５３）の他端側を連結させて、ユニットクラッチレバー（１２０）のオンオフ操作時に肥料繰出ケース（４８）の条止めクラッチも略同時にオンオフするように構成している。
【００３０】
また、前記クラッチワイヤ（１５３）のアウタチューブ（１５５）をクラッチレバー（１２０）のレバーボックス（１５６）と後面フレーム（９３）に取付けるアウタ受け（１５７）との間に設けるもので、後面フレーム（９３）に固設する４角形など多角筒体（１５８）にアウタ受け（１５７）の多角軸部（１５７ａ）を挿入してピン（１５９）でもってその位置を固定させ、植付部（１５）取外し時などにおけるクラッチワイヤ（１５３）の取外し時には、アウタ受け（１５７）ごとワンタッチ操作でもって筒体（１５８）より取外して、植付部（１５）の装着の都度アウタチューブ（１５５）の調節を必要とすることのない取付けを可能とさせるように構成している。
【００３１】
また、前記クラッチワイヤ（１５３）の取外し時にあっては、苗載台（１６）の折畳みされない中央本体側（左右最外側の１条分が折畳み可能）表面上方にアウタ受け（１５７）を保持させるもので、図５に示す如く前記多角筒体（１５８）と同一の多角筒体（１５８ａ）を苗載台（１６）の裏面に固設し、アウタ受け（１５７）取外し時にはこのアウタ受け（１５７）を前記筒体（１５８ａ）に挿入して、取外したクラッチワイヤ（１５３）を苗載台（１６）側で引っ掛けることなく安全保持するように構成している。
【００３２】
図２４及び図２５にも示す如く、前記作溝器（３９）と搬送ホース（４０）とを連ぐ接続ブーツ（１６０）には搬送ホース（４０）とは別の空気排出ホース（１６１）を分岐して設けるもので、該ホース（１６１）の下端をブーツ（１６０）に連通接続させると共に、該ホース（１６１）の中間をホースガイド（１６０ｃ）を介し搬送ホース（４０）に添設させて、このホース（１６１）の上端排出口（１６１ａ）を上方位置で下向きに臨ませて、作溝器（３９）及びブーツ（１６０）内の余剰空気を排出ホース（１６１）を通して逃すように構成している。
【００３３】
前記排出ホース（１６１）は、該ホース（１６１）内で肥料の自重と風速とがバランスする一定高さ（Ｈ）以上の位置に排出口（１６１ａ）を設けて、肥料が排出口（１６１ａ）より飛び出ることによって、各種装置にかかって錆が発生するなどの不都合を防止すると共に、ホース（１６１）の上端を防水手段である折曲部（１６１ｂ）に形成して、排出口（１６１ａ）を下向きに形成して、排出口（１６１ａ）から雨水などがホース（１６１）内に侵入して肥料が付着するのを防止している。
【００３４】
また図２６に示す如く、植付クラッチの切を検出する植付クラッチ切検出スイッチ（１６２）を、前記変速レバー（３０）の植付クラッチ切操作位置に設けて、前記送風機（４１）の電動モータ（１６３）に制御回路（１６４）を介し送風機操作スイッチ（１６２ａ）とともに接続させて、植付クラッチの切操作時には送風機（４１）の駆動を停止させることによって、前記ブーツ（１６０）における搬送ホース（４０）と排出ホース（１６１）との分岐部で滞留する肥料を作溝器（３９）に落下供給させて、必要な位置以外に肥料が飛散するのを防止するように構成している。なお、植付クラッチの切に連動して送風機（４１）の風量を少量とさせたり、植付部（１５）の上げ操作に連動して送風機（４１）の駆動を停止させる構成など何れの手段でも良い。
【００３５】
また図２７に示すものは、前記排出ホース（１６１）の上端の排出口（１６１ａ）を上方に臨ませると共に、排出口（１６１ａ）の上方部を防水手段である防水カバー（１６５）で覆って、前記排出口（１６１ａ）から雨水などが侵入するのを防止するように構成したものである。
【００３６】
さらに、図２８に示すものは、前記排出ホース（１６１）の排出口（１６１ａ）をエアタンク（４２）に臨ませるように設けて、作溝器（３９）及びブーツ（１６０）内の余剰空気をエアタンク（４２）に逃すと共に、雨水などが排出ホース（１６１）内に侵入するのを防止するように構成したものである。
【００３７】
またさらに図２９に示すものは、前記入口板（７５）の吹出口（７４）に対向させる繰出ケース（３８）の圧風取入口（１６６）に、前記排出ホース（１６１）の排出口（１６１ａ）を連通接続させて、排出口（７８）位置に移動した繰出口（７６）に取入口（１６６）からの空気を供給して繰出口（７６）の肥料を下方に強制的に落下させるように構成したものである。
【００３８】
図３０及び図３１のものは、左右の収納側エアタンク（４２１）（４２２）と作溝器（３９）とを接続する搬送ホース（４０）の接続長さを可変とさせて、収納状態及び作業状態の何れにおいてもホース（４０）の脱着を不要とさせる構成を示すもので、図３０のものは伸縮自在な蛇腹式ホース（４０ａ）を、また図３１のものはホース（４０）に外側ホース（１６７）と内側ホース（１６８）との２重筒からなるスライド式ホース（４０ｂ）を用いて、収納側エアタンク（４２１）（４２２）の折畳み時にもその都度これらホース（４０ａ）（４０ｂ）を取外しする必要のない作業性良好の折畳みを可能とさせるように構成したものである。なお（１６９）は外側及び内側ホース（１６７）（１６８）間より空気が流出するのを防止する蛇腹式の空気漏洩防止カバーである。
【００３９】
【発明の効果】
以上実施例から明らかなように本発明は、施肥ホッパ（３７）内の肥料を送風機（４１）からの搬送空気でもって肥料排出部（３９）まで搬送して施肥を行う施肥ホース（４０）を備えた田植機の施肥装置において、前記肥料排出部（３９）の余剰空気を上方位置で排出する空気排出ホース（１６１）を肥料排出部（３９）に連通接続させ、空気排出ホース（１６１）の上端排出口（１６１ａ）を上方位置で下向きに臨ませたもので、排出ホース（１６１）に水が侵入し肥料が付着して、肥料詰まりを発生させるなどの不都合を確実に防止することができるものである。
【図面の簡単な説明】
【図１】全体の側面図。
【図２】同平面図。
【図３】施肥部の平面図。
【図４】同背面図。
【図５】同側面説明図。
【図６】昇降レール部側面説明図。
【図７】肥料繰出ケース部の側面説明図。
【図８】肥料繰出ケース部の平面説明図。
【図９】ベースフレーム部の背面説明図。
【図１０】肥料繰出ケース部の背面説明図。
【図１１】繰出駆動入力部の同側面説明図。
【図１２】肥料繰出ケースの断面側面説明図。
【図１３】施肥部右側の平面図。
【図１４】施肥部左側の平面図。
【図１５】施肥部右側の折畳み説明図。
【図１６】施肥部左側の折畳み説明図。
【図１７】施肥部右側の拡大平面図。
【図１８】施肥部左側の拡大平面図。
【図１９】左繰出ケース連結部の背面図。
【図２０】左エアタンク連結部の平面図。
【図２１】図２０の拡大図。
【図２２】ユニットクラッチレバー部の説明図。
【図２３】アウタ受け部の説明図。
【図２４】空気排出ホース部の側面説明図。
【図２５】ブーワ部の平面説明図。
【図２６】電気回路図。
【図２７】防水カバー部の側面説明図。
【図２８】空気排出ホースのエアタンク接続説明図。
【図２９】空気排出ホースの繰出ケース接続説明図。
【図３０】蛇腹式ホースの説明図。
【図３１】スライド式ホースの説明図。
【符号の説明】
（１５）    植付部
（３７）    施肥ホッパ
（３９）    作溝器（肥料排出部）
（４０）    ホース
（４１）    送風機
（１６１）    空気排出ホース
（１６１ｂ）  折曲部（防水手段）
（１６５）    防水カバー（防水手段）
【図１】
0003602662.tif 000002
【図２】
0003602662.tif 000003
【図３】
0003602662.tif 000004
【図４】
0003602662.tif 000005
【図５】
0003602662.tif 000006
【図６】
0003602662.tif 000007
【図７】
0003602662.tif 000008
【図８】
0003602662.tif 000009
【図９】
0003602662.tif 000010
【図１０】
0003602662.tif 000011
【図１１】
0003602662.tif 000012
【図１２】
0003602662.tif 000013
【図１３】
0003602662.tif 000014
【図１４】
0003602662.tif 000015
【図１５】
0003602662.tif 000016
【図１６】
0003602662.tif 000017
【図１７】
0003602662.tif 000018
【図１８】
0003602662.tif 000019
【図１９】
0003602662.tif 000020
【図２０】
0003602662.tif 000021
【図２１】
0003602662.tif 000022
【図２２】
0003602662.tif 000023
【図２３】
0003602662.tif 000024
【図２４】
0003602662.tif 000025
【図２５】
0003602662.tif 000026
【図２６】
0003602662.tif 000027
【図２７】
0003602662.tif 000028
【図２８】
0003602662.tif 000029
【図２９】
0003602662.tif 000030
【図３０】
0003602662.tif 000031
【図３１】
0003602662.tif 000032